(57)【要約】【課題】  ユーザが、ＩＰアドレスを用いて通信するファクシミリ装置を、従来の電話番号を用いて通信するファクシミリ装置と同様に取り扱うことができるようにする。【解決手段】  ファクシミリ装置１００は、送信するファクシミリデータを取得するデータ取得部１１８と、送信先端末のアドレスの指定を電話番号に類似の数字列で受け付ける受付部１０２と、数字列を含むドメイン名を生成するドメイン名生成部１０８と、ドメイン名に対応するＩＰアドレスを、所定のサーバから取得するＩＰアドレス取得部１１０と、ＩＰ網１３０を介してＩＰアドレスにファクシミリデータを送信する電話接続送信処理部１１６と、を含む。【選択図】        図１
2005303369.tif 000002
【特許請求の範囲】
【請求項１】
電話番号を用いてファクシミリデータを送信可能なファクシミリ装置であって、
送信するファクシミリデータを取得するデータ取得手段と、
送信先端末のアドレスの指定を電話番号に類似の数字列で受け付ける受付手段と、
前記数字列を含むドメイン名を生成するドメイン名生成手段と、
前記ドメイン名に対応するＩＰアドレスを、所定のサーバから取得するＩＰアドレス取得手段と、
所定のＩＰ網を介して前記ＩＰアドレスに前記ファクシミリデータを送信する送信手段と、
を含むことを特徴とするファクシミリ装置。
【請求項２】
請求項１に記載のファクシミリ装置において、
前記数字列に基づきＩＰアドレスを取得するためのドメイン名を生成可能か否かを判断する判断手段と、
前記判断手段が、前記数字列に基づきドメイン名を生成できないと判断した場合に、前記数字列を電話番号として用い、前記ファクシミリデータを前記送信先端末に送信する電話送信手段と、
をさらに含むことを特徴とするファクシミリ装置。
【請求項３】
請求項１または２に記載のファクシミリ装置において、
ドメイン名を生成可能な数字列を識別する識別子を記憶する記憶手段をさらに含み、
前記判断手段は、前記入力手段が受け付けた数字列に前記識別子が含まれるか否かを判断し、前記数字列に前記識別子が含まれる場合に、前記数字列に基づきドメイン名を生成可能と判断することを特徴とするファクシミリ装置。
【請求項４】
請求項１乃至３いずれかに記載のファクシミリ装置において、
前記記憶手段は、前記識別子に対応付けて、当該識別子を含むドメイン名に対応するＩＰアドレスを問い合わせるサーバに関する情報をさらに記憶することを特徴とするファクシミリ装置。
【請求項５】
請求項１乃至４いずれかに記載のファクシミリ装置において、
前記記憶手段は、前記識別子に対応付けて、当該識別子を含む数字列に付加してドメイン名を生成するための付加文字列をさらに記憶することを特徴とするファクシミリ装置。
【請求項６】
請求項１乃至５いずれかに記載のファクシミリ装置において、
前記送信手段による前記ファクシミリデータの送信が行われたか否かを検知する検知手段と、
前記送信手段による送信が行われなかった場合に、電話網により前記ファクシミリデータを前記送信先端末に送信する電話送信手段と、
をさらに含むことを特徴とするファクシミリ装置。
【請求項７】
請求項１乃至６いずれかに記載のファクシミリ装置において、
送信先端末のポート番号の指定を受け付ける指定受付手段をさらに含むことを特徴とするファクシミリ装置。
【発明の詳細な説明】
【技術分野】
【０００１】
この発明は、ＩＰ網を用いた通信が可能なファクシミリ装置に関する。
【背景技術】
【０００２】
近年、ＭＦＰ（Multi Functional Peripheral）等のファクシミリ装置がインターネット等のネットワークに接続されて利用されることが多くなってきた。このようなファクシミリ装置では、例えばＴＣＰ／ＩＰなどの通信プロトコルを利用して、データを送受信する。
【０００３】
また、近年、常時接続環境の普及に伴い、ＤＮＳデータベースを動的に更新する技術を用いたＤＤＮＳ（Dynamic Updates in the Domain Name System）が開発されている。ＤＤＮＳを用いることにより、インターネット等のＩＰ網に接続された端末が固有のＩＰアドレスを有していなくても、その端末にＩＰアドレスを用いてアクセスすることが可能となっている。
【０００４】
特許文献１には、通常利用しているメールサーバが利用できない場合や緊急時に、宛先のドメインを管轄するメールサーバのＩＰアドレスを取得して、取得したＩＰアドレスを用いて宛先のメールサーバに電子メールを送信する技術が開示されている。これにより、自ドメインのメールサーバが利用できない場合でも、緊急の電子メールの送信に支障をきたすことがないようにできる。
【特許文献１】特開２００３−２１６５４７号公報
【発明の開示】
【発明が解決しようとする課題】
【０００５】
上述したように、ＤＤＮＳを用いることにより、固有のＩＰアドレスを有しない端末にもＩＰアドレスを用いたアクセスが可能である。たとえば、所定のＩＰ網に接続されたファクシミリ装置が固有のＩＰアドレスを有していなくても、ＤＤＮＳから送信先端末のＩＰアドレスを取得することにより、ＩＰアドレスを用いて端末間で直接通信を行うことが可能である。ＩＰアドレスを用いることにより、ファクシミリ装置間で直接データの送受信が行えるので、プロトコル等を気にすることなく、自由な通信を行うことができる。
【０００６】
一方、従来、ファクシミリ装置では、電話番号（電話番号）を用いてＰＳＴＮ（公衆交換電話網）を介してファクシミリデータの送受信が行われていた。そのため、ファクシミリ装置のユーザにとっては、送信先端末を電話番号により指定するのが一般的である。そのため、ユーザに違和感を与えることなく、上記のＩＰアドレスを用いた通信のメリットをも利用できるようなシステムの構築が望まれる。
【０００７】
本発明はこうした点に鑑みてなされたもので、その目的は、ユーザが、ＩＰアドレスを用いて通信するファクシミリ装置を、従来の電話番号を用いて通信するファクシミリ装置と同様に取り扱うことができるようにする技術の提供にある。
【課題を解決するための手段】
【０００８】
本発明によれば、電話番号を用いてファクシミリデータを送信可能なファクシミリ装置であって、送信するファクシミリデータを取得するデータ取得手段と、送信先端末のアドレスの指定を電話番号に類似の数字列で受け付ける受付手段と、数字列を含むドメイン名を生成するドメイン名生成手段と、ドメイン名に対応するＩＰアドレスを、所定のサーバから取得するＩＰアドレス取得手段と、所定のＩＰ網を介してＩＰアドレスにファクシミリデータを送信する送信手段と、を含むことを特徴とするファクシミリ装置が提供される。
【０００９】
ここで、ＩＰ網とは、たとえばインターネットやイントラネット等、ＩＰアドレスを用いてデータの送受信が行われるネットワークである。また、電話番号は、ファクシミリ番号も含む。
【００１０】
本発明のファクシミリ装置によれば、電話番号に類似した数字列がアドレスとして指定された場合に、所定のサーバから送信先端末のＩＰアドレスを取得してＩＰアドレスにファクシミリデータを送信するので、ユーザは、従来のファクシミリ装置と同様の使い勝手で、ＩＰアドレスを用いたデータ送信のサービスを利用することができる。ここで、所定のサーバは、ＤＤＮＳサーバとすることができる。
【００１１】
本発明のファクシミリ装置は、数字列に基づきＩＰアドレスを取得するためのドメイン名を生成可能か否かを判断する判断手段と、判断手段が、数字列に基づきドメイン名を生成できないと判断した場合に、数字列を電話番号として用い、ファクシミリデータを送信先端末に送信する電話送信手段と、をさらに含むことができる。
【００１２】
このようにすれば、従来通り、送信先端末のアドレスとして電話番号が入力された場合に、電話番号を用いて、電話網等を介して送信先端末にファクシミリデータを送信することができる。
【００１３】
本発明のファクシミリ装置は、ドメイン名を生成可能な数字列を識別する識別子を記憶する記憶手段をさらに含むことができ、判断手段は、入力手段が受け付けた数字列に識別子が含まれるか否かを判断し、数字列に識別子が含まれる場合に、数字列に基づきドメイン名を生成可能と判断することができる。
【００１４】
本発明のファクシミリ装置において、記憶手段は、識別子に対応付けて、当該識別子を含むドメイン名に対応するＩＰアドレスを問い合わせるサーバに関する情報をさらに記憶することができる。サーバに関する情報とは、当該サーバのＩＰアドレスやドメイン名とすることができる。
【００１５】
本発明のファクシミリ装置において、記憶手段は、識別子に対応付けて、当該識別子を含む数字列に付加してドメイン名を生成するための付加文字列をさらに記憶することができる。
【００１６】
本発明のファクシミリ装置において、送信手段によるファクシミリデータの送信が行われたか否かを検知する検知手段と、送信手段による送信が行われなかった場合に、電話網によりファクシミリデータを送信先端末に送信する電話送信手段と、をさらに含むことができる。
【００１７】
ここで、送信手段によるファクシミリデータの送信が行われなかった場合とは、たとえば、サーバからＩＰアドレスが取得できない場合、該当するＩＰアドレスに接続できない場合、ＩＰアドレスに接続後のファクシミリデータ送信中にエラーが発生した場合等である。
【００１８】
電話送信手段は、たとえばＩＰアドレスを取得するための数字列に電話番号が対応付けられたアドレス帳を参照し、送信先端末の電話番号を取得して、その電話番号を用いて送信先端末にファクシミリデータを送信することができる。
【００１９】
また、ＩＰアドレスを取得するための数字列は、電話番号としても用いることができるものとすることができる。このようにすれば、たとえばＩＰアドレスを用いてファクシミリデータを送信できなかった場合に、そのままその数字列を電話番号として用いて送信先端末にファクシミリデータを送信することができる。
【００２０】
本発明のファクシミリ装置は、送信先端末のポート番号の指定を受け付ける指定受付手段をさらに含むことができる。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、ユーザが、ＩＰアドレスを用いて通信するファクシミリ装置を、従来の電話番号を用いて通信するファクシミリ装置と同様に取り扱うことができる。
【発明を実施するための最良の形態】
【００２３】
図１は、本実施の形態におけるファクシミリ装置１００の構成を示すブロック図である。
ファクシミリ装置１００は、受付部１０２、判断部１０４、識別情報記憶部１０６、ドメイン名生成部１０８、ＩＰアドレス取得部１１０、検知部１１２、ＩＰアドレス接続送信処理部１１４、電話接続送信処理部１１６、データ取得部１１８、データ記憶部１２０、通信部１２２、およびアドレス帳１２４を含む。
【００２４】
なお、図１において、本発明の本質に関わらない部分の構成については省略してあり、たとえば、ファクシミリ装置の構成である原稿読み取り部、画像処理部等は図示していない。
【００２５】
また、ファクシミリ装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２６】
以下、ファクシミリを送信する例を説明する。
ファクシミリ装置１００は、たとえばネットワークファクシミリ装置やＭＦＰ（Multi Functional Peripheral）等である。本実施の形態において、ファクシミリ装置１００は、ＩＰ網１３０や電話網１３２に接続可能である。ファクシミリ装置１００は、ＩＰアドレスが指定されると、ＩＰアドレスを用いて他のファクシミリ装置１４０にファクシミリデータを送信することができる。また、ファクシミリ装置１００は、電話番号が指定されると、電話番号を用いてファクシミリ装置１４０にファクシミリデータを送信することができる。
【００２７】
本実施の形態において、ＩＰ網１３０は、たとえば社内で用いられるイントラネットである。また、電話網１３２は、たとえば社内の内線電話網である。ＩＰ網１３０には、複数のＤＤＮＳ（Dynamic Domain Name System）サーバ１５０およびＤＤＮＳサーバ１５２が接続されている。ＤＤＮＳサーバ１５０およびＤＤＮＳサーバ１５２は、電話番号様の数字列を含むドメイン名とＩＰアドレスとを対応付けたアドレス変換テーブルを有する。
【００２８】
ここでは図示していないが、ＩＰ網１３０には、ドメインネームに対して動的にＩＰアドレスを割り当てるＤＨＣＰ（Dynamic Host Configuration Protocol）サーバも接続されている。ＤＤＮＳサーバ１５０およびＤＤＮＳサーバ１５２は、ＤＨＣＰサーバからＩＰアドレスとドメイン名の対応付けを所定期間毎に受け取り、アドレス変換テーブルを更新する。
【００２９】
本実施の形態において、ファクシミリ装置１００は、電話番号様の所定の数字列が入力された場合に、当該数字列に基づき、ドメイン名を生成し、ＤＤＮＳサーバ１５０やＤＤＮＳサーバ１５２にそのドメイン名に対応するＩＰアドレスを問い合わせる。ファクシミリ装置１００は、ＤＤＮＳサーバ１５０やＤＤＮＳサーバ１５２からＩＰアドレスを取得し、そのＩＰアドレスにＩＰ網１３０を介してファクシミリデータを送信する。ここで、電話番号様の数字列とは、内線の電話番号と同様の文字数を有し、電話番号のような数字列のことである。このようにすれば、ＩＰアドレスを用いてファクシミリデータを送信する場合でも、ユーザは送信先端末の指定を通常の電話番号を指定するのと同様の感覚で行うことができ、違和感なく操作を行うことができる。
【００３０】
通信部１２２は、他のファクシミリ端末１４０やＤＤＮＳサーバ１５０、ＤＤＮＳサーバ１５２等と通信を行う。
【００３１】
受付部１０２は、ユーザから送信先のアドレスの入力を受け付ける。アドレス帳１２４は、複数の送信先のアドレスを記憶する。ここで、アドレスは、ＩＰアドレスを取得するための電話番号様の数字列や電話番号を含む。
【００３２】
ここで図示していないが、ファクシミリ装置１００は、ユーザが操作する操作部を含む。操作部は、たとえば、操作ボタン、スイッチ、レバー、キーボード、タッチパネル等である。受付部１０２は、ユーザによる操作部の操作に基づき、アドレスの入力を受け付ける。受付部１０２は、ユーザがアドレス帳１２４に登録されたアドレスを読み出し、いずれかのアドレスを選択する操作を行うことにより、アドレスの入力を受け付けることもできる。
【００３３】
データ取得部１１８は、送信するファクシミリデータを取得する。データ記憶部１２０は、データ取得部１１８が取得したファクシミリデータを一時的に記憶する。
【００３４】
識別情報記憶部１０６は、ドメイン名を生成可能な送信先端末を識別する識別子を記憶する。ここで、識別子は、数字列とすることができる。判断部１０４は、受付部１０２がアドレスの入力を受け付けると、識別情報記憶部１０６を参照し、当該アドレスに識別子が含まれるか否かを判断する。判断部１０４は、アドレスに識別子が含まれる場合、その旨をドメイン名生成部１０８に通知する。ドメイン名生成部１０８は、アドレスに基づき、ドメイン名を生成する。ＩＰアドレス取得部１１０は、ドメイン名生成部１０８が生成したドメイン名に対応するＩＰアドレスを、通信部１２２およびＩＰ網１３０を介して所定のＤＤＮＳサーバに問い合わせ、送信先端末のＩＰアドレスを取得する。
【００３５】
検知部１１２は、ＩＰアドレス取得部１１０が送信先端末のＩＰアドレスを取得できたか否かを検知する。
【００３６】
検知部１１２が送信先端末のＩＰアドレスが取得できたと検知した場合、ＩＰアドレス接続送信処理部１１４は、ＩＰアドレス取得部１１０が取得したＩＰアドレスに通信部１２２およびＩＰ網１３０を介して接続する。ついで、ＩＰアドレス接続送信処理部１１４は、接続されたＩＰアドレスにデータ記憶部１２０に記憶されたファクシミリデータを送信する。
【００３７】
検知部１１２は、ＩＰアドレス接続送信処理部１１４による送信先端末との接続状態を検知し、ＩＰアドレスを用いたファクシミリデータの送信が行えたか否かを検知する。
【００３８】
判断部１０４は、識別情報記憶部１０６を参照した際に、当該アドレスに識別子が含まれない場合、その旨を電話接続送信処理部１１６に通知する。電話接続送信処理部１１６は、判断部１０４からの通知を受け、受付部１０２が入力を受け付けたアドレスを用いてデータ記憶部１２０に記憶されたファクシミリデータを送信する。本実施の形態において、電話接続送信処理部１１６は、電話網１３２を介してファクシミリデータの送信を行う。
【００３９】
図２は、識別情報記憶部１０６のデータ構造の一例を示す図である。
識別情報記憶部１０６は、ドメイン名を生成可能な送信先端末を識別する識別子と、ドメイン名を生成するために電話番号に付加する付加文字列と、ＩＰアドレスを問い合わせるＤＤＮＳサーバに関する情報とを含む。
【００４０】
ここで、たとえば、Ｎｏ．１は、識別子が「０５０」で、付加文字列が「ａｂｃ．ｎｅｔ」で、ＤＤＮＳサーバのＩＰアドレスが「１９２．１６８．×．×」となっている。
【００４１】
また、たとえばＮｏ．３は、識別子が「０５２」で、付加文字列はなく、ＤＤＮＳサーバのＩＰアドレスが「１９２．１６８．×××．××」となっている。
【００４２】
図３は、アドレス帳１２４のデータ構造の一例を示す図である。
ここでは、ＩＰアドレス取得用数字列と、電話番号とが対応付けられている。たとえば、Ｎｏ．１で、ＩＰアドレス取得用数字列「０５０−１２３４」に電話番号「０６０−１２３４」が対応付けられている。
【００４３】
図４は、本実施の形態におけるファクシミリ装置１００の動作を示すフローチャートである。
まず、ユーザの操作により、送信先のアドレス（数字列）が指定され、受付部１０２はそのアドレスの入力を受け付ける（Ｓ１０）。ここで、図示していないが、データ取得部１１８は送信するファクシミリデータを取得し、データ記憶部１２０に記憶しておく。
【００４４】
つづいて、判断部１０４は、識別情報記憶部１０６を参照し、入力されたアドレスに識別子が含まれるか否かを判断する（Ｓ１２）。入力されたアドレスに識別子が含まれる場合（Ｓ１２のＹＥＳ）、判断部１０４は、その旨をドメイン名生成部１０８に通知する。ドメイン名生成部１０８は、識別情報記憶部１０６を参照し、そのアドレスのドメイン名を生成するのに、付加文字列が必要か否かを判断する（Ｓ１４）。文字列の付加が必要な場合（Ｓ１４のＹＥＳ）、ドメイン名生成部１０８は、入力されたアドレスに、対応する文字列を付加し、ドメイン名を生成する（Ｓ１６）。次いで、ＩＰアドレス取得部１１０は、識別情報記憶部１０６を参照し、識別子に基づき該当するＤＤＮＳサーバのＩＰアドレスを取得し（Ｓ１７）、当該ＤＤＮＳサーバに、ドメイン名生成部１０８が生成したドメイン名に対応する送信先端末のＩＰアドレスの問い合わせを行う（Ｓ１８）。
【００４５】
ステップＳ１４において、文字列の付加が必要でない場合（Ｓ１４のＮＯ）、ドメイン名生成部１０８は、入力されたアドレスの数字列をそのままドメイン名として用い、ステップＳ１８に進む。検知部１１２は、ＩＰアドレス取得部１１０が送信先端末のＩＰアドレスを取得できたか否かを検知する（Ｓ２０）。ＩＰアドレスが取得できた場合（Ｓ２０のＹＥＳ）、ＩＰアドレス接続送信処理部１１４は、ＩＰアドレス取得部１１０が取得したＩＰアドレスに通信部１２２およびＩＰ網１３０を介して接続する（Ｓ２２）。
【００４６】
検知部１１２は、ＩＰアドレス接続送信処理部１１４が目的のＩＰアドレスとの接続を確立できたか否かを検知する（Ｓ２４）。目的のＩＰアドレスに接続できた場合（Ｓ２４のＹＥＳ）、ＩＰアドレス接続送信処理部１１４は、データ記憶部１２０に記憶されたファクシミリデータを目的のＩＰアドレスに送信する（Ｓ２６）。
【００４７】
検知部１１２は、ＩＰアドレス接続送信処理部１１４によるファクシミリデータの送信状態を監視し、エラーの発生を検知する（Ｓ２８）。エラーが生じず、全ファクシミリデータが送信できた場合（Ｓ２８のＮＯ）、処理を終了する。
【００４８】
一方、ステップＳ１２において、判断部１０４が識別情報記憶部１０６を参照し、入力されたアドレスに所定の識別子が含まれないと判断した場合、判断部１０４はその旨を電話接続送信処理部１１６に通知する。電話接続送信処理部１１６は、受付部１０２が入力を受け付けたアドレスを電話番号として用い、通信部１２２および電話網１３２を介してファクシミリデータを送信先端末に送信する（Ｓ３０）。
【００４９】
また、ステップＳ２０において送信先端末のＩＰアドレスが取得できなかった場合（Ｓ２０のＮＯ）、ステップＳ２４において目的のＩＰアドレスに接続できなかった場合（Ｓ２４のＮＯ）、およびステップＳ２８においてエラーが生じた場合（Ｓ２８のＹＥＳ）、検知部１１２は、電話接続送信処理部１１６にその旨を通知する。電話接続送信処理部１１６は、アドレス帳１２４を参照し、ステップＳ１０で入力されたアドレスの数字列に対応する電話番号を取得する（Ｓ２９）。ついで、電話接続送信処理部１１６は、その電話番号を用い、通信部１２２および電話網１３２を介してファクシミリデータを送信先端末に送信する（Ｓ３０）。
【００５０】
次に、図１〜図４を参照して、具体例を説明する。
たとえば、受付部１０２がアドレスとして「０５０−１２３４」を受け付けた場合（Ｓ１０）、判断部１０４は識別情報記憶部１０６を参照し、このアドレスがＮｏ．１の識別子「０５０」を含むことを検出し（Ｓ１２のＹＥＳ）、ドメイン名生成部１０８に通知する。ドメイン名生成部１０８は、識別情報記憶部１０６を参照し、この電話番号に付加文字列「ａｂｃ．ｎｅｔ」を付加し、「０５０１２３４．ａｂｃ．ｎｅｔ」というドメイン名を生成する（Ｓ１４のＹＥＳおよびＳ１６）。つづいて、ＩＰアドレス取得部１１０は、識別情報記憶部１０６を参照し、識別子に基づき、このドメイン名のＩＰアドレスを問い合わせるＤＤＮＳサーバのＩＰアドレス「１９２．１６８．×．×」を取得する（Ｓ１７）。次いで、目的のＤＤＮＳサーバにドメイン名「０５０１２３４．ａｂｃ．ｎｅｔ」のＩＰアドレスを問い合わせ、送信先端末のＩＰアドレスを取得する（Ｓ１８）。この後は、図４を参照して説明したのと同様の処理が行われる。ＩＰアドレスでのデータ送信ができなかった場合（Ｓ２０のＮＯ、Ｓ２４のＮＯ、Ｓ２８のＹＥＳ）、電話接続送信処理部１１６は、アドレス帳１２４を参照して、「０５０−１２３４」に対応する電話番号「０６０−１２３４」を取得し（Ｓ２９）、電話番号によるデータ送信が行われる（Ｓ３０）。
【００５１】
また、たとえば、受付部１０２が電話番号として「０５２−１２３４」を受け付けた場合（Ｓ１０）、判断部１０４は識別情報記憶部１０６を参照し、このアドレスがＮｏ．３の識別子「０５２」を含むことを検出し（Ｓ１２のＹＥＳ）、ドメイン名生成部１０８に通知する。ドメイン名生成部１０８は、識別情報記憶部１０６を参照し、この電話番号には付加文字列がないため、「０５２１２３４」という電話番号をそのままドメイン名とする（Ｓ１４のＮＯ）。つづいて、ＩＰアドレス取得部１１０は、識別情報記憶部１０６を参照し、このドメイン名のＩＰアドレスを問い合わせるＤＤＮＳサーバのＩＰアドレス「１９２．１６８．×××．××」を取得する（Ｓ１７）。次いで、目的のＤＤＮＳサーバにドメイン名「０５２１２３４」のＩＰアドレスを問い合わせ、送信先端末のＩＰアドレスを取得する（Ｓ１８）。以下、上記の例と同様の処理が行われる。
【００５２】
また、たとえば、受付部１０２が電話番号として「０６０−１２３４」を受け付けた場合（Ｓ１０）、判断部１０４は識別情報記憶部１０６を参照し、この電話番号にいずれの識別子も含まれないことを検出し（Ｓ１２のＮＯ）、電話接続送信処理部１１６に通知する。電話接続送信処理部１１６は、電話番号「０６０−１２３４」を用いてファクシミリデータを送信する（Ｓ３０）。
【００５３】
以上のように、本発明の実施の形態におけるファクシミリ装置１００によれば、送信先のアドレスとして電話番号様の所定の数字列が入力された場合に、ファクシミリ装置１００が送信先端末のＩＰアドレスを自動的に取得し、ＩＰアドレスを用いた通信を行う。そのため、ユーザはＩＰアドレスを取得することや、ＩＰアドレスを用いた通信を行うことを意識することなく、このようなサービスを享受することができる。また、ＩＰアドレス取得用の数字列が、電話番号と類似しているので、より一層今までのファクシミリ装置と同様の使い勝手でＩＰアドレスを用いたデータ通信を行うことができる。
【００５４】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５５】
たとえば、受付部１０２は、送信先のアドレスとともに、送信先端末のポート番号の入力も受け付けることができる。ＩＰアドレス接続送信処理部１１４は、ＩＰアドレスを用いて送信先端末に接続する際に、ＩＰアドレスとともにポート番号も用いて送信先端末を特定することができる。ポート番号は、送信先のアドレスが入力される際にユーザから略同時に入力されるようにしてもよい。また、図５に示すように、アドレス帳１２４に、ＩＰアドレス取得用文字列に対応付けてポート番号を記憶しておくこともできる。受付部１０２は、ＩＰアドレス取得用文字列とともに、そのＩＰアドレス取得用文字列に対応付けられたポート番号も読み出す。
【００５６】
また、ファクシミリデータを送信する際に、ＩＰアドレスを用いるか電話番号を用いるかは、予めファクシミリ装置１００でいずれを優先するかを設定しておくこともできるが、ユーザにより選択されてもよい。たとえば図３に示したようなアドレス帳のＮｏ．１の端末にファクシミリデータを送信する場合、ユーザが「０５０−１２３４」を選択した場合は、ＩＰアドレスによるデータ送信が優先的に行われる。また、ユーザが「０６０−１２３４」を選択した場合は、電話番号によるデータ送信が行われる。
【００５７】
また、以上の実施の形態においては、図３に示したように、ＩＰアドレス取得用数字列と電話番号とが異なる数字列となる例を示したが、ＩＰアドレス取得用数字列として、電話番号そのものを用いることもできる。この場合、図４に示したフローチャートに従って説明すると、ＩＰアドレスを用いたファクシミリデータの送信が行えなかった場合（ステップＳ２０のＮＯ、ステップＳ２４のＮＯ、およびステップＳ２８のＹＥＳ）、ステップＳ２９の処理を省略して、そのままＩＰアドレス取得用数字列を電話番号として用い、ステップＳ３０の電話番号によるデータの送信を行うことができる。
【００５８】
さらに、以上の実施の形態においては、ＩＰ網１３０をイントラネット、電話網１３２を内線電話網として説明したが、ＩＰ網１３０はインターネットとすることもでき、電話網１３２は、ＩＰ電話網やＰＳＴＮとすることができる。
【００５９】
また、以上では説明を省略したが、ファクシミリ装置１００は、電子メール送受信機能を有することもでき、たとえばＳＭＴＰに基づき、他のファクシミリ装置とデータの送受信を行うこともできる。また、ファクシミリ装置１００は、携帯電話端末と通信を行うこともでき、その場合、無線基地局および無線中継局を介して通信する。
【図面の簡単な説明】
【００６０】
【図１】本発明の実施の形態におけるファクシミリ装置の構成を示すブロック図である。
【図２】識別情報記憶部のデータ構造の一例を示す図である。
【図３】アドレス帳のデータ構造の一例を示す図である。
【図４】本発明の実施の形態におけるファクシミリ装置の動作を示すフローチャートである。
【図５】アドレス帳のデータ構造の一例を示す図である。
【符号の説明】
【００６１】
１００  ファクシミリ装置
１０２  受付部
１０４  判断部
１０６  識別情報記憶部
１０８  ドメイン名生成部
１１０  ＩＰアドレス取得部
１１２  検知部
１１４  ＩＰアドレス接続送信処理部
１１６  電話接続送信処理部
１１８  データ取得部
１２０  データ記憶部
１２２  通信部
１２４  アドレス帳
１３０  ＩＰ網
１３２  電話網
１４０  ファクシミリ装置
１５０  ＤＤＮＳサーバ
１５２  ＤＤＮＳサーバ
【図１】
2005303369.tif 000003
【図２】
2005303369.tif 000004
【図３】
2005303369.tif 000005
【図４】
2005303369.tif 000006
【図５】
2005303369.tif 000007